(57)【要約】【課題】電力系統監視制御装置を構成する機器の交換や増設が発生する都度、保守管理会社においてその保守に必要な情報を自動的に獲得し保守管理情報を更新可能とすることである。【解決手段】電力系統監視制御装置１と保守管理装置７とをネットワーク１４で接続し、電力系統監視制御装置１は、設置されている各種機器の交換を検出したときは当該機器の保守に必要な交換機器情報を機器交換検出手段１０で取得し、交換機器の交換機器情報を第１の通信手段１１からネットワーク１４を介して保守管理装置７に送信し、保守管理装置７は、ネットワーク１４を介して送られてくる機器の交換機器情報を第２の通信手段１２で受信し、受信された交換機器の交換機器情報を元に保守管理情報記憶部９の保守管理情報の内容を保守管理情報更新手段１３で更新する。【選択図】図１
2011067009.tif 000002
【特許請求の範囲】
【請求項１】
電力会社の電力系統監視制御装置と保守管理会社の保守管理装置とをネットワークで接続し、前記電力系統監視制御装置は、前記電力系統監視制御装置に設置されている各種機器を周期的に監視し前記機器の交換を検出したときは当該機器の保守に必要な交換機器情報を取得する機器交換検出手段と、前記機器交換検出手段から通知された機器の交換機器情報をネットワークを介して前記保守管理装置に送信する第１の通信手段とを備え、前記保守管理装置は、前記ネットワークを介して送られてくる前記交換機器の交換機器情報を受信する第２の通信手段と、前記第２の通信手段で受信された交換機器の交換機器情報を元に保守管理情報記憶部の保守管理情報の内容を更新する保守管理情報更新手段とを備えたことを特徴とする電力系統監視制御装置の保守管理システム。
【請求項２】
前記電力系統監視制御装置は、前記電力系統監視制御装置に設置されている各種機器のうち移設した機器があるときはその移設機器の移設先の場所を含む移設機器情報を手動で入力する端末入力手段を備え、前記第１の通信手段は前記端末入力手段から通知された機器の交換機器情報をネットワークを介して前記保守管理装置に送信し、前記保守管理装置の前記保守管理情報更新手段は、前記電力系統監視制御装置から前記第２の通信手段で移設機器情報を受信したときは前記保守管理情報記憶部の保守管理情報の内容のうち前記移設機器の移設先場所を更新することを特徴とする請求項１記載の電力系統監視制御装置の保守管理システム。
【請求項３】
前記電力系統監視制御装置は、前記電力系統監視制御装置に設置されている各種機器のうち増設機器の設置場所を手動で入力する端末入力手段と、前記電力系統監視制御装置に設置されている各種機器を周期的に監視し前記機器の増設を検出したときは当該機器の保守に必要な増設機器情報を取得するとともに前記端末入力手段に増設機器の設置場所の入力を催促する機器増設検出手段とを備え、前記第１の通信手段は前記機器増設検出手段から通知された増設機器情報及び前記端末入力手段から入力された増設機器の設置場所をネットワークを介して前記保守管理装置に送信し、前記保守管理装置の前記保守管理情報更新手段は、前記電力系統監視制御装置から前記第２の通信手段で前記増設機器情報及び前記増設機器の設置場所を受信したときは前記保守管理情報記憶部の保守管理情報の内容のうち前記増設機器情報及び前記増設機器の設置場所を更新することを特徴とする請求項１記載の電力系統監視制御装置の保守管理システム。
【請求項４】
前記保守管理装置は、前記保守管理情報更新手段が前記増設機器情報及び前記増設機器の設置場所を更新したときは、その旨を出力装置に出力する増設通知手段を備えたことを特徴とする請求項３記載の電力系統監視制御装置の保守管理システム。
【請求項５】
前記電力系統監視制御装置は、前記電力系統監視制御装置に設置されている各種機器の機器情報を手動で入力し前記保守管理装置の前記保守管理情報記憶部から受信した当該機器情報に対応する機器の保守情報を表示する保守情報提供手段を備え、前記保守管理装置は、前記保守情報提供手段からの機器情報に対応する機器の保守情報を検索し前記保守情報提供手段に返信する保守情報検索手段を備えたことを特徴とする請求項１記載の電力系統監視制御装置の保守管理システム。
【発明の詳細な説明】
【技術分野】
【０００１】
本発明は、電力系統監視制御装置を構成する各種機器の保守管理を行う電力系統監視制御装置の保守管理システムに関する。
【背景技術】
【０００２】
電力会社が保有する電力系統監視制御装置を構成する複数の機器は、故障あるいは寿命による交換が行われ、また、電力系統規模及び電力系統運用業務の増加に伴う増設が行われている。機器の交換や増設が行われる都度、電力系統監視制御装置を構成する機器のハードウェアの保守に必要な保守管理情報を更新している。
【０００３】
図１８は従来の電力系統監視制御装置及び保守管理装置の構成図である。
【０００４】
電力系統監視制御装置１は、電力系統情報（CB、LS等の入切（２値情報）、潮流や電圧等の数値情報）等のデータ授受を行うネットワーク装置２、電力系統情報を記憶するデータ保存装置３、オペレータとの対話を行うヒューマンインターフェース装置４、電力系統情報を出力する出力装置５、各種電力系統情報から監視制御内容を決定する処理装置６などの複数の機器から構成される。
【０００５】
これらの機器は、故障による交換あるいは寿命による交換が行われ、また、電力系統規模及び電力系統運用業務の増加や統合に伴い機器の増設が行われる。特に、データ保存装置３、ヒューマンインターフェース装置４、出力装置５の機器については、交換や増設が行われている。電力系統監視制御装置のハードウェア保守を委託された保守管理会社は保守管理装置７にて、交換や増設が行われる都度、ハードウェア保守に必要な機器情報（メーカ名、型番、製造番号、設置場所等）を入手し、手動入力手段８から手動で保守管理情報記憶部９の保守管理情報を更新している。
【０００６】
複数の発電プラントからプラントの運転・保守フィールドデータをネットワークで保全サービス拠点に収集し、運用性と経済性に優れた発電プラントの監視・診断・検査・保全システムを提供するようにしたものがある（例えば、特許文献１参照）。
【０００７】
また、監視対象となる機器について、保守点検や異常発生時における計測データから有用なコンサルティングデータを生成してユーザに提供するようにしたものがある（例えば、特許文献２参照）。
【先行技術文献】
【特許文献】
【０００８】
【特許文献１】特開２００３−１１４２９４号公報
【特許文献２】特開２００３−１４０７３８号公報
【発明の概要】
【発明が解決しようとする課題】
【０００９】
しかし、電力系統監視制御装置の保守管理情報の更新は手動で入力しているので、入手遅れ、入手漏れ、入力ミス等が発生しており、正確性に問題ある保守管理情報では、急を要するハードウェアの障害対応や点検計画の作成及び点検作業において支障をきたす場合があった。
【００１０】
図１８に示す従来の電力系統監視制御装置は電力会社に設置され、２４時間３６５日の安定運転が必要であり、機器にハードウェア障害が発生した場合はハードウェア保守を委託された保守管理会社の保守員による迅速な障害復旧が必要である。保守員は障害が発生した機器について保守管理情報を元に障害箇所を予測し、交換部材の準備をし、設置場所の確認をして、復旧方法の確認を行った後にオンサイトでの障害復旧にあたる。また、点検においては対象機器の保守管理情報を元に作業時間を予測し、点検結果の履歴、点検項目、設置場所、点検方法の確認を行う。
【００１１】
特に、ヒューマンインターフェース装置４や出力装置５は汎用品が多く使われていることもあり、電力会社においても容易に交換あるいは増設が可能である。これら交換や増設された機器の保守管理情報は、保守管理会社でその都度、更新することになっているが、連絡の遅れや漏れ、更新での入力ミスなどにより迅速な障害復旧や計画的な点検に支障を来たす場合があった。
【００１２】
また、電力会社では、現在、運転中の電力系統監視制御装置を構成する各種機器の保守情報（稼動状況、保守部材の在庫状況、後継機種、価格等）を保有する保守管理会社と共有したいというニーズがある。
【００１３】
本発明の目的は、上記事象に鑑みてなされたものであり、電力系統監視制御装置を構成する機器の交換や増設が発生する都度、ハードウェア保守を委託された保守管理会社においてその保守に必要な情報を自動的に獲得し保守管理情報を更新できる電力系統監視制御装置の保守管理システムを提供することである。
【課題を解決するための手段】
【００１４】
本発明の電力系統監視制御装置の保守管理システムは、電力会社の電力系統監視制御装置と保守管理会社の保守管理装置とをネットワークで接続し、前記電力系統監視制御装置は、前記電力系統監視制御装置に設置されている各種機器を周期的に監視し前記機器の交換を検出したときは当該機器の保守に必要な交換機器情報を取得する機器交換検出手段と、前記機器交換検出手段から通知された交換機器の交換機器情報をネットワークを介して前記保守管理装置に送信する第１の通信手段とを備え、前記保守管理装置は、前記ネットワークを介して送られてくる前記機器の交換機器情報を受信する第２の通信手段と、前記第２の通信手段で受信された交換機器の交換機器情報を元に保守管理情報記憶部の保守管理情報の内容を更新する保守管理情報更新手段とを備えたことを特徴とする。
【発明の効果】
【００１５】
本発明によれば、電力系統監視制御装置を構成する機器の交換や増設が発生する都度、ハードウェア保守を委託された保守管理会社においてその保守に必要な情報を自動的に獲得し保守管理情報を更新できる。
【図面の簡単な説明】
【００１６】
【図１】本発明の第１の実施の形態に係わる電力系統監視制御装置の保守管理システムの構成図。
【図２】本発明の第１の実施の形態における機器交換検出手段の処理内容を示すフローチャート。
【図３】本発明の第１の実施の形態における保守管理情報更新手段の交換処理機能の処理内容を示すフローチャート。
【図４】本発明の第１の実施の形態に係わる保守管理情報記憶部の機器の保守管理情報の説明図。
【図５】本発明の第２の実施の形態に係わる電力系統監視制御装置の保守管理システムの構成図。
【図６】本発明の第２の実施の形態における端末入力手段１５の処理内容を示すフローチャート。
【図７】本発明の第２の実施の形態における保守管理情報更新手段１３の移設処理機能の処理内容を示すフローチャート。
【図８】本発明の第２の実施の形態に係わる電力系統監視制御装置の保守管理システムの構成図。
【図９】本発明の第３の実施の形態における機器増設検出手段の処理内容を示すフローチャート。
【図１０】本発明の第３の実施の形態における端末入力手段の処理内容を示すフローチャート。
【図１１】本発明の第３の実施の形態における保守管理情報更新手段の増設処理機能の処理内容を示すフローチャート。
【図１２】本発明の本発明の第４の実施の形態に係わる電力系統監視制御装置の保守管理システムの構成図。
【図１３】本発明の第４の実施の形態における保守管理情報更新手段の増設通知処理機能の処理内容を示すフローチャート。
【図１４】本発明の本発明の第４の実施の形態における増設通知手段の処理内容を示すフローチャート。
【図１５】本発明の本発明の第５の実施の形態に係わる電力系統監視制御装置の保守管理システムの構成図。
【図１６】本発明の第５の実施の形態における保守情報提供手段の処理内容を示すフローチャート。
【図１７】本発明の第５の実施の形態における保守情報検索手段の処理内容を示すフローチャート。
【図１８】従来の電力系統監視制御装置と保守システムの構成図
【発明を実施するための形態】
【００１７】
以下、本発明の実施の形態に係わる電力系統監視制御装置の保守管理システムを説明する。図１は本発明の第１の実施の形態に係わる電力系統監視制御装置の保守管理システムの構成図である。この第１の実施の形態は、図１８に示した従来例に対し、電力系統監視制御装置１に機器交換検出手段１０及び第１の通信手段１１を追加して設け、保守管理装置７に手動入力手段８に代えて第２の通信手段１２及び保守管理情報更新手段１３を設け、第１の通信手段１１と第２の通信手段１２とをネットワーク１４で接続したものである。図１８と同一要素には同一符号を付し重複する説明は省略する。
【００１８】
電力系統監視制御装置１の機器交換検出手段１０は、電力系統監視制御装置１に設置されている複数台の各種機器を周期的に監視しており、機器の交換を検出したときは当該機器の保守に必要な交換機器情報（メーカ名、型番、製造番号等の情報）を取得する。そして、機器交換検出手段１０は、取得した交換機器情報を第１の通信手段１１に通知する。第１の通信手段１１は、機器交換検出手段１０から通知された交換機器の交換機器情報をネットワーク１４を介して保守管理装置７の第２の通信手段１２に送信する。
【００１９】
保守管理装置７の第２の通信手段１２は、ネットワーク１４を介して送られてくる交換機器の交換機器情報（メーカ名、型番、製造番号等の情報）を受信し、保守管理情報更新手段１３に出力する。保守管理情報更新手段１３は第２の通信手段１２で受信された交換機器の交換機器情報（メーカ名、型番、製造番号等の情報）を元に保守管理情報記憶部９の保守管理情報内容を更新する。
【００２０】
すなわち、機器交換検出手段１０は、電力系統監視制御装置１の機器側で保有する機器情報（型番、製造番号等）を図示省略の記憶部に予め記憶しており、電力系統監視制御装置１を構成する各種機器を周期的に監視している。そして、電力系統監視制御装置１の機器側で保有する機器情報（型番、製造番号等）に変化を検出した場合、新たな機器に交換が行われた判断する。機器交換検出手段１０は、交換機器を検出したときは、交換機器側で保有するメーカ名と予め記憶していた交換前機器の型番、製造番号とを取得し、これらの情報を合わせて第１の通信手段１１に通知する。
【００２１】
第１の通信手段１１はネットワーク１４を介して電力系統監視制御装置１を構成する機器のハードウェア保守を委託された保守管理会社に設置されている保守管理装置７に交換機器のメーカ名、型番、製造番号及び交換前機器の型番、製造番号を送信する。
【００２２】
保守管理装置７の第２の通信手段１２はネットワーク１４を介して送られてきた交換機器のメーカ名、型番、製造番号及び交換前機器の型番、製造番号を受信し、保守管理情報更新手段１３にその旨を通知する。保守管理情報更新手段１３は保守管理情報記憶部９の交換前機器のメーカ名、型番、製造番号を交換機器のメーカ名、型番、製造番号で自動的に更新する。もちろん、交換機器に関連する他の情報も別の手段にて更新されるとする（例えば、稼動状況、保守部材の在庫状況、後継機種、価格等）。
【００２３】
図２は機器交換検出手段１０の処理内容を示すフローチャートである。機器交換検出手段１０は、電力系統監視制御装置１に設置されている各種機器のうち最初の機器を指定する（Ｓ１）。そして、当該機器で保有している型番、製造番号を入力し（Ｓ２）、予め記憶しているこれまでの型番／製造番号と比較を行う（Ｓ３）。比較の結果、型番／製造番号に変化がない場合はステップＳ７に移行する。一方、比較の結果、型番／製造番号に変化がある場合は当該機器は交換されたと判断し、当該機器から更にメーカ名を入力し（Ｓ４）、さらに当該機器のメーカ名、型番、製造番号及び予め記憶していた交換前機器の型番、製造番号を第１の通信手段１１に通知する（Ｓ５）。そして、予め記憶していた交換前機器の型番、製造番号を交換機器の型番、製造番号で更新記憶する（Ｓ６）。
【００２４】
次に、全ての機器に対して行ったか否かを判断し（Ｓ７）、全ての機器が終了でない場合は次の機器を指定し（Ｓ８）、ステップＳ２に戻る。全ての機器を終了したと判断しときはＴ時間待機した後にステップＳ１に戻る。なお、ここでの対象機器は計算機、プリンタのように機器側で保有するメーカ名、型番、製造番号を容易に入力が可能なものである。
【００２５】
図３は第１の実施の形態における保守管理情報更新手段１３の交換処理機能の処理内容を示すフローチャートである。保守管理情報更新手段１３は、第２の通信手段１２から交換機器のメーカ名、型番、製造番号と交換前の機器の型番、製造番号を受信すると、受信した交換機器のメーカ名、型番、製造番号と交換前の機器の型番、製造番号を元に交換前機器の型番、製造番号で保守管理情報記憶部９の全機器の保守管理情報を検索する（Ｓ１）。
【００２６】
図４は保守管理情報記憶部９の機器の保守管理情報の説明図である。図４に示すように、保守管理情報記憶部９には、各機器毎に、メーカ名、型番、製造番号、設置場所（建家、フロアー、室）、保守情報（移動状況、在庫状況、後継機種、価格）などの保守管理情報が格納されている。
【００２７】
次に、ステップＳ１で検索した結果、一致した機器は存在するか否かを判定し（Ｓ２）、交換前機器と一致した機器が存在する場合は、保守管理情報記憶部９の当該機器のメーカ名、型番、製造番号を交換機器のメーカ名、型番、製造番号で更新する（Ｓ３）。
【００２８】
本発明の第１の実施の形態によれば、電力系統監視制御装置１に機器交換検出手段１０と第１の通信手段１１及びネットワーク１４で接続された保守管理装置７に第２の通信手段１２と保守管理情報更新手段１３を備えることにより、電力系統監視制御装置１を構成する各種機器の交換が行われた場合、ハードウェア保守を委託された保守管理会社で保守に必要な保守管理情報記憶部９の自動的な更新と精度の向上が可能となる。また、これまでの電力会社からの交換機器の保守に必要な情報の入手手間と手動による保守管理情報の更新作業を削減できる。
【００２９】
次に、本発明の第２の実施の形態を説明する。図５は本発明の第２の実施の形態に係わる電力系統監視制御装置の保守管理システムの構成図である。この第２の実施の形態は、図１に示した第１の実施の形態に対し、電力系統監視制御装置１に移設機器がある場合には移設先の場所を手動で入力する端末入力手段１５を追加して設けたものである。図１と同一要素には、同一符号を付し重複する説明は省略する。
【００３０】
電力系統監視制御装置１には端末入力手段１５が追加して設けられている。端末入力手段１５は、電力系統監視制御装置１に設置されている各種機器のうち移設した機器があるときは、その移設機器の移設先の場所を含む移設機器情報を手動で入力するものである。
【００３１】
端末入力手段１５から手動で入力された移設機器情報は、第１の通信手段１１に通知され、第１の通信手段１１は端末入力手段１５から通知された機器の交換機器情報をネットワーク１４を介して保守管理装置７の第２の通信手段１２に送信する。保守管理装置１２の保守管理情報更新手段１３は、第２の通信手段１２で移設機器情報を受信したときは、保守管理情報記憶部９の保守管理情報の内容のうち移設機器の移設先場所を更新する。
【００３２】
図６は第２の実施の形態における端末入力手段１５の処理内容を示すフローチャートである。まず、端末入力手段１５は、運転員により手動にて入力された移設機器の型番、製造番号を入力するとともに（Ｓ１）、移設先（建屋、フロアー、室）を入力する（Ｓ２）。そして、入力した移設機器の型番、製造番号、移設先を第１の通信手段１１に通知する（Ｓ３）。
【００３３】
図７は第２の実施の形態における保守管理情報更新手段１３の移設処理機能の処理内容を示すフローチャートである。保守管理情報更新手段１３は、第２の通信手段１２で受信した移設機器の型番、製造番号、移設先（設置場所）を元に型番、製造番号で保守管理情報記憶部９の機器の保守管理情報を検索する（Ｓ１）。そして、検索した結果、一致した機器は存在するか否かを判定し（Ｓ２）、移設前機器と一致した機器が存在する場合は、保守管理情報記憶部９の当該機器の設置場所を交換機器の移設先で更新する（Ｓ３）。
【００３４】
本発明の第２の実施の形態によれば、電力系統監視制御装置１に端末入力手段１５を追加して設け、移設先を入力するので、電力系統監視制御装置１を構成する各種機器の移設が行われた場合、ハードウェア保守を委託された保守管理会社で保守に必要な保守管理情報記憶部９の自動的な更新と精度の向上が可能となる。また、これまでの電力会社からの移設された機器の保守に必要な情報の入手手間と手動による保守管理情報の更新作業を削減できる。
【００３５】
次に、本発明の第３の実施の形態を説明する。図８は本発明の第３の実施の形態に係わる電力系統監視制御装置の保守管理システムの構成図である。この第３の実施の形態は、図１に示した第１の実施の形態に対し、電力系統監視制御装置１に設置されている各種機器のうち増設機器の設置場所を手動で入力する端末入力手段１５と、電力系統監視制御装置１に設置されている各種機器を周期的に監視し機器の増設を検出したときは当該機器の保守に必要な増設機器情報を取得するとともに端末入力手段１５に増設機器の設置場所の入力を催促する機器増設検出手段１６とを追加して設けたものである。図１と同一要素には同一符号を付し重複する説明は省略する。
【００３６】
図８において、機器増設検出手段１６は、電力系統監視制御装置１に設置されている複数台の各種機器を周期的に監視し、機器の増設を検出したときは、当該機器からメーカ名、型番、製造番号の保守に必要な情報を入力し、第１の通信手段１１にその増設機器情報を通知するとともに、端末入力手段１５に増設機器の設置場所の入力を催促する。端末入力手段１５は、電力系統監視制御装置１に機器増設検出手段１６からの増設機器の設置場所の入力の催促に従い手動による入力を行い、増設機器の設置場所を第１の通信手段１１に通知する。
【００３７】
第１の通信手段１１は、機器増設検出手段１６から通知された増設機器情報及び端末入力手段１５から入力された増設機器の設置場所をネットワーク１４を介して保守管理装置７の第２の通信手段１２に送信する。保守管理装置７の保守管理情報更新手段１３は、電力系統監視制御装置１から第２の通信手段１２で増設機器情報及び増設機器の設置場所を受信したときは、保守管理情報記憶部９の保守管理情報の内容のうち増設機器情報及び増設機器の設置場所を更新する。
【００３８】
図９は第３の実施の形態における機器増設検出手段１６の処理内容を示すフローチャートである。機器増設検出手段１６は、電力系統監視制御装置１に設置されている各種機器のうち最初の機器を指定する（Ｓ１）。当該機器に増設フラグがセットされているかどうかを判定し（Ｓ２）、増設フラグがセットされていない場合にはステップＳ７に移行する。一方、増設フラクがセットされている（増設あり）のときは、その増設機器が保有するメーカ名、型番、製造番号を入力し（Ｓ３）、入力したメーカ名、型番、製造番号を第１の通信手段１１に通知する（Ｓ４）。そして、入力した型番、製造番号を端末入力手段１５に連絡し、増設された機器の設置場所の入力を通知し（Ｓ５）、増設フラグをリセットして増設無しとする（Ｓ６）。
【００３９】
次に、全ての機器（ＭＡＸ）まで終了したか否か判断し（Ｓ７）、全ての機器（ＭＡＸ）についての処理が終了していない場合は次の機器を指定し（Ｓ８）、ステップＳ２に戻る。ステップＳ７の判定で、全ての機器（ＭＡＸ）まで終了したときは、新たな他の機器が無いかどうかを判定する（Ｓ９）。次の機器（ＭＡＸ＋１）の機器が存在する場合は、当該機器（ＭＡＸ＋１）の増設フラグをセットし（Ｓ１０）、増設された機器が保有する型番、製造番号を入力し記憶する（Ｓ１１）。そして、機器の最大をカウントアップ（ＭＡＸ＝ＭＡＸ＋１）し（Ｓ１２）、Ｔ時間待機した後にステップＳ１に戻る（Ｓ１３）。なお、ここでの対象機器は計算機、プリンタのように機器側で保有するメーカ名、型番、製造番号を容易に入力が可能なものである。
【００４０】
図１０は第３の実施の形態における端末入力手段１５の処理内容を示すフローチャートである。まず、端末入力手段１５は、機器増設検出手段１６から通知された型番、製造番号を表示し、運転員に対し増設機器の設置場所の手動入力の催促を行う（Ｓ１）。運転員により手動にて入力された増設機器の設置場所（建屋、フロアー、室）を入力し（Ｓ２）、型番、製造番号と入力した増設機器の設置場所を第１の通信手段１１に通知する（Ｓ３）。
【００４１】
電力系統監視制御装置１の第１の通信手段１１は、保守管理装置７の第２の通信手段１２に対してネットワーク１４を介して型番、製造番号と入力した増設機器の設置場所を送信することになる。
【００４２】
図１１は第３の実施の形態における保守管理情報更新手段１３の増設処理機能の処理内容を示すフローチャートである。保守管理情報更新手段１３は、第２の通信手段１２から型番、製造番号及び増設機器の設置場所を受信すると、保守管理情報記憶部９の空き部分を捜し（Ｓ１）、第２の通信手段１２からの増設機器のメーカ名、型番、製造番号、設置場所を保守管理情報記憶部９の空き部分に追加更新する（Ｓ２）。
【００４３】
本発明の第３の実施の形態によれば、電力系統監視制御装置１に機器増設検出手段１６、端末入力手段１５、第１の通信手段１１及びネットワークで接続された保守管理装置７に第２の通信手段１２、保守管理情報更新手段１３を備えることにより、電力系統監視制御装置１を構成する各種機器の増設が行われた場合、ハードウェア保守を委託された保守管理会社で保守に必要な保守管理情報記憶部９の自動的な更新と精度の向上が可能となる。また、これまでの電力会社からの増設された機器の保守に必要な情報の入手手間と手動による保守管理情報の更新作業を削減できる。
【００４４】
次に、本発明の第４の実施の形態を説明する。図１２は本発明の第４の実施の形態に係わる電力系統監視制御装置の保守管理システムの構成図である。この第３の実施の形態は、図８に示した第３の実施の形態に対し、保守管理装置７に、保守管理情報更新手段１３が増設機器情報及び増設機器の設置場所を更新したときは、その旨を警報器１７や端末機器１８などの出力装置１９に出力する増設通知手段２０を追加して設けたものである。図８と同一要素には同一符号を付し重複する説明は省略する。
【００４５】
図１２において、保守管理装置７の保守管理情報更新手段１３は、保守管理情報記憶部９に増設機器のメーカ名、型番、製造番号、設置場所を記憶すると、増設通知手段２０にその旨を通知し、増設通知手段２０は、保守管理装置７に機器が増設された旨を警報器１７や端末機器１８などの出力装置１９に出力する。端末機器１８は表示器や印刷装置などである。
【００４６】
図１３は第４の実施の形態における保守管理情報更新手段１３の増設通知処理機能の処理内容を示すフローチャートである。保守管理情報更新手段１３は、第２の通信手段１２から型番、製造番号及び増設機器の設置場所を受信すると、保守管理情報記憶部９の空き部分を捜し（Ｓ１）、第２の通信手段１２からの増設機器のメーカ名、型番、製造番号、設置場所を保守管理情報記憶部９の空き部分に追加更新する（Ｓ２）。そして、機器が増設された旨を増設通知手段２０に連絡する（Ｓ３）。
【００４７】
図１４は本発明の第４の実施の形態における増設通知手段２０の処理内容を示すフローチャートである。増設通知手段２０は、保守管理情報更新手段１３から増設機器のメーカ名、型番、製造番号、設置場所の通知を受けると、通知された増設機器のメーカ名、型番、製造番号、設置場所を出力装置１９の端末機器１８である表示器に表示する（Ｓ１）。また、ブザー等の警報器１７を鳴動させ（Ｓ２）、機器が増設した旨を保守員に通知する。
【００４８】
本発明の第４の実施の形態によれば、保守管理装置７に増設通知手段２０を備えることにより、電力系統監視制御装置１を構成する各種機器の増設が行われたことを出力装置１９に出力して報知するので、増設機器の保守部材の購入や準備ができるようになり、迅速な障害対応が可能となる。
【００４９】
次に、本発明の第５の実施の形態を説明する。図１５は本発明の第５の実施の形態に係わる電力系統監視制御装置の保守管理システムの構成図である。この第５の実施の形態は、図１に示した第１の実施の形態に対し、電力系統監視制御装置１に保守情報提供手段２１を追加して設け、保守管理装置７に保守情報検索手段２２を追加して設けたものである。図１と同一要素には、同一符号を付し重複する説明は省略する。
【００５０】
図１５において、電力系統監視制御装置１には保守情報提供手段２１が設けられている。保守情報提供手段２１は、機器の型番、製造番号を手動で入力し、保守管理会社の保守システムで保有している当該機器の保守情報（稼動状況、保守部材の在庫状況、後継機種、価格等）を表示させるものである。また、保守管理装置７の保守情報検索手段２２は、保守情報提供手段２１から要求された機器の保守情報を保守管理情報記憶部９から検索するものである。
【００５１】
図１６は第５の実施の形態における保守情報提供手段２１の処理内容を示すフローチャートである。保守情報提供手段２１は、運転員により端末機器（入力装置）から手動入力された検索対象の機器の型番、製造番号を入力し（Ｓ１）、入力した機器の型番、製造番号を第１の通信手段１１に通知する（Ｓ２）。そして、要求した機器の保守情報を受信するまでＴ時間の待機を行い（Ｓ３）、要求した機器の保守情報を保守管理装置７から受信したときは、その保守情報を取り込み（Ｓ４）、取り込んだ保守情報を端末装置（表示器）に表示する（Ｓ５）。なお、保守情報が無い場合には、その旨を端末装置に出力することになる。
【００５２】
図１７は第５の実施の形態における保守情報検索手段２２の処理内容を示すフローチャートである。保守情報検索手段２２は、電力系統監視制御装置１の保守情報提供手段２１から第１の通信手段１１、ネットワーク１４及び第２の通信手段１２を介して、検索対象の機器の型番、製造番号を受信すると、第２の通信手段１２で受信した機器の型番、製造番号を取り込み（Ｓ１）、保守管理情報記憶部９から型番、製造番号で要求機器を検索する（Ｓ２）。
【００５３】
そして、要求機器があるかどうかを判断し（Ｓ３）、該当機器が存在する場合は保守管理情報記憶部９から該当機器の保守情報（（稼動状況、保守部材の在庫状況、後継機種、価格等）を取り込み（Ｓ４）、保守情報を第２の通信手段１２に通知する（Ｓ５）。当該機器が存在しない場合は当該機器の保守情報は無い旨を第２の通信手段１２に通知する（Ｓ６）。
【００５４】
本発明の第５の実施の形態によれば、電力系統監視制御装置１に保守情報提供手段２１、保守管理装置７に保守情報検索手段２２を備えることにより、電力会社において電力系統監視制御装置１を構成する各種機器の保守情報（稼動状況、保守部材の在庫状況、後継機種、価格等）を得ることで機器の交換、点検、リプレースの計画を容易に立案できるようなる。
【符号の説明】
【００５５】
１…電力系統監視制御装置、２…ネットワーク装置、３…データ保存装置、４…ヒューマンインターフェース装置、５…出力装置、６…処理装置、７…保守管理装置、８…手動入力手段、９…保守管理情報記憶部、１０…機器交換検出手段、１１…第１の通信手段、１２…第２の通信手段、１３…保守管理情報更新手段、１４…ネットワーク、１５…端末入力手段、１６…機器増設検出手段、１７…警報器、１８…端末機器、１９…出力装置、２０…増設通知手段、２１…保守情報提供手段、２２…保守情報検索手段
【図１】
2011067009.tif 000003
【図２】
2011067009.tif 000004
【図３】
2011067009.tif 000005
【図４】
2011067009.tif 000006
【図５】
2011067009.tif 000007
【図６】
2011067009.tif 000008
【図７】
2011067009.tif 000009
【図８】
2011067009.tif 000010
【図９】
2011067009.tif 000011
【図１０】
2011067009.tif 000012
【図１１】
2011067009.tif 000013
【図１２】
2011067009.tif 000014
【図１３】
2011067009.tif 000015
【図１４】
2011067009.tif 000016
【図１５】
2011067009.tif 000017
【図１６】
2011067009.tif 000018
【図１７】
2011067009.tif 000019
【図１８】
2011067009.tif 000020